(57)【要約】【課題】  点光源を任意形状の光のパターンに変換して表示する。【解決手段】  ケース本体１０２の開口を閉塞する光透過性照明カバー１０３の内面に複数の光パターン生成フィルム１０４，１０５を積層して配置し、点光源１０１から発する光を光パターン生成フィルム１０４，１０５を透過屈折しながら進行させて照明カバー１０３側へ出射することにより、点光源１０１からの光を任意形状に輝光する光のパターンに変換して照明カバー１０３の表面に表示する構成にした。【選択図】  図２
0003104919.tif 000002
【実用新案登録請求の範囲】
【請求項１】
前面が開口された遮光性のケース本体と、前記ケース本体の開口を閉塞するように設けられた光透過性の照明カバーと、前記ケース本体内に前記照明カバーに向け光が照射されるように配設された少なくとも１つの点光源と、前記照明カバーの内面に該内面の全域を覆うように積層して設けられ前記点光源からの光を任意形状に輝光する光のパターンに変換して前記照明カバーの表面に表示する複数の光パターン生成フィルムとを備えることを特徴とする照明装置。
【請求項２】
前記各光パターン生成フィルムは、透明性な基板層と、前記基板層の表面に微細なプリズム状の凸条を所望のピッチで平行に形成してなるプリズム層とから構成され、前記各光パターン生成フィルムのプリズム層の凸条は互いに交差するように形成されていることを特徴とする請求項１記載の照明装置。
【請求項３】
前記照明カバーは、該照明カバーの表面に照明カバーの長手方向の全長に亘り延在して形成されたＶ状溝を有し、このＶ状溝は照明カバーの長手方向と直角な方向に所望の間隔で複数形成されていることを特徴とする請求項１または２記載の照明装置。
【請求項４】
前記光のパターンは、前記点光源と前記光パターン生成フィルムとの間の距離、前記積層された光パターン生成フィルムのプリズム層における凸条の交差角度及び前記光パターン生成フィルムの基板層とプリズム層、前記光パターン生成フィルムの基板層同士、前記光パターン生成フィルムのプリズム層同士の重ね合わせ状態に応じて任意の模様に変更されるように構成されていることを特徴とする請求項１または２記載の照明装置。
【請求項５】
前記ケース本体内の前記点光源の背部に、該点光源からの光を前記光パターン生成フィルムに向け反射するとともに光パターン生成フィルムで反射されてくる光を再度光パターン生成フィルムに向けて反射する反射板が設けられていることを特徴とする請求項１記載の照明装置。
【請求項６】
前記ケース本体は取付部を備えることを特徴とする請求項１記載の照明装置。
【請求項７】
前面が開口された遮光性のケース本体と、前記ケース本体の開口を閉塞するように設けられた光透過性の照明カバーと、前記ケース本体内に前記照明カバーに向け光が照射されるように配設された少なくとも１つのカラー用点光源と、前記照明カバーの内面に該内面の全域を覆うように積層して設けられ前記カラー用点光源からの光を任意形状に輝光する光のパターンに変換して前記照明カバーの表面に表示する複数の光パターン生成フィルムと、前記カラー用点光源を指定の色に点灯制御する制御部と、前記制御部に接続され前記カラー用点光源を指定の色に点灯するための色設定信号を前記制御部に送出する色設定操作部とを備えることを特徴とする照明装置。
【請求項８】
前記各光パターン生成フィルムは、透明性な基板層と、前記基板層の表面に微細なプリズム状の凸条を所望のピッチで平行に形成してなるプリズム層とから構成され、前記各光パターン生成フィルムのプリズム層の凸条は互いに交差するように形成されていることを特徴とする請求項７記載の照明装置。
【請求項９】
前記照明カバーは、該照明カバーの表面に照明カバーの長手方向の全長に亘り延在して形成されたＶ状溝を有し、このＶ状溝は照明カバーの長手方向と直角な方向に所望の間隔で複数形成されていることを特徴とする請求項７または８記載の照明装置。
【請求項１０】
前記光のパターンは、前記点光源と前記光パターン生成フィルムとの間の距離、前記積層された光パターン生成フィルムのプリズム層における凸条の交差角度及び前記光パターン生成フィルムの基板層とプリズム層、前記光パターン生成フィルムの基板層同士、前記光パターン生成フィルムのプリズム層同士の重ね合わせ状態に応じて任意の模様に変更されるように構成されていることを特徴とする請求項７または８記載の照明装置。
【請求項１１】
前面が開口された遮光性のケース本体と、前記ケース本体の開口を閉塞するように設けられた光透過性の照明カバーと、前記ケース本体内に前記照明カバーに向け光が照射されるように配設された少なくとも１つの点光源を備え、
前記照明カバーは前方へ突出するアーチ状に形成され、このアーチ状照明カバーの前表面には該照明カバーの長手方向の全長に亘り延在するＶ状溝が照明カバーの長手方向と直角な方向に所望の間隔で複数形成され、さらに前記照明カバーのカラー用点光源と対向する背面には、前記点光源からの光を任意形状に輝光する光のパターンに変換して前記照明カバーの表面に表示するためのプリズム状の凸条が前記Ｖ状溝の長手方向と直行する方向に所望のピッチで平行に形成されていることを特徴とする照明装置。
【請求項１２】
前面が開口された遮光性のケース本体と、前記ケース本体の開口を閉塞するように設けられた光透過性の照明カバーと、前記ケース本体内に前記照明カバーに向け光が照射されるように配設された少なくとも１つのカラー用点光源と、前記カラー用点光源を指定の色に点灯制御する制御部と、前記制御部に接続され前記カラー用点光源を指定の色に点灯するための色設定信号を前記制御部に送出する色設定操作部を備え、
前記照明カバーは前方へ突出するアーチ状に形成され、このアーチ状照明カバーの前表面には該照明カバーの長手方向の全長に亘り延在するＶ状溝が照明カバーの長手方向と直角な方向に所望の間隔で複数形成され、さらに前記照明カバーのカラー用点光源と対向する背面には、前記カラー用点光源からの光を任意形状に輝光する光のパターンに変換して前記照明カバーの表面に表示するためのプリズム状の凸条が前記Ｖ状溝の長手方向と直行する方向に所望のピッチで平行に形成されていることを特徴とする照明装置。
【考案の詳細な説明】
【技術分野】
【０００１】
本考案は、ベッド用ヘッドボードのような家具等において、これら家具等の存在位置の表示及び意匠性を発揮させるのに有効な照明装置に関し、さらに詳しくは、光源からの光を種々な模様の透過光に生成して出射し得るようにした照明装置に関するものである。
【背景技術】
【０００２】
従来、ベッド用ヘッドボードなどに用いられる照明装置は、ヘッドボードの内部に配設した高輝度のＬＥＤ（発光ダイオード）と、このＬＥＤの光照射方向に対向してヘッドボードに設けられ、ＬＥＤと対向する内面にプリズム状刃形を持つ光透過性のプレートとから構成され、上記ＬＥＤが発する光をプレートを通して出射させ、この透過出射光によりベッドを部分的に照明し、ほの暗い空間でのベッドの存在位置を表示し、またはベッドのムード照明などとして利用するようにしている（例えば特許文献１参照）。
【特許文献１】特開２００３−２２９０１８号公報
【考案の開示】
【考案が解決しようとする課題】
【０００３】
このような従来の照明装置に使用される光透過性のプレートは、内面にプリズム状の刃形を有する構造になっているため、このプレートを外側から見た場合、単に光源の輝きがあるのみで、照明装置の内部を透視することができない。すなわち、ＬＥＤを含む内部回路部がプレートを通して露呈されるのを防止できる。
しかしながら、従来の光透過性プレートは、ＬＥＤが発する光を拡散透過するだけであるため、プレート表面の輝きは全域に亘ってほぼ均一である。このため、上述するようなプレートとＬＥＤとをどのような配列関係に組み合わせても、プレート表面に輝度差からなる模様やパターンを生じさせることができなかった。
【０００４】
本考案は、上記のような点に鑑みなされたもので、点光源を任意形状の光のパターンに変換して表示できるようにした照明装置を提供することを目的とする。
【課題を解決するための手段】
【０００５】
上記目的を達成するために本考案の照明装置は、前面が開口された遮光性のケース本体と、前記ケース本体の開口を閉塞するように設けられた光透過性の照明カバーと、前記ケース本体内に前記照明カバーに向け光が照射されるように配設された少なくとも１つの点光源と、前記照明カバーの内面に該内面の全域を覆うように積層して設けられ前記点光源からの光を任意形状に輝光する光のパターンに変換して前記照明カバーの表面に表示する複数の光パターン生成フィルムとを備えることを特徴とする。
【０００６】
また、本考案の照明装置は、前面が開口された遮光性のケース本体と、前記ケース本体の開口を閉塞するように設けられた光透過性の照明カバーと、前記ケース本体内に前記照明カバーに向け光が照射されるように配設された少なくとも１つのカラー用点光源と、前記照明カバーの内面に該内面の全域を覆うように積層して設けられ前記カラー用点光源からの光を任意形状に輝光する光のパターンに変換して前記照明カバーの表面に表示する複数の光パターン生成フィルムと、前記カラー用点光源を指定の色に点灯制御する制御部と、前記制御部に接続され前記カラー用点光源を指定の色に点灯するための色設定信号を前記制御部に送出する色設定操作部とを備えることを特徴とする。
【０００７】
また、本考案の照明装置は、前面が開口された遮光性のケース本体と、前記ケース本体の開口を閉塞するように設けられた光透過性の照明カバーと、前記ケース本体内に前記照明カバーに向け光が照射されるように配設された少なくとも１つの点光源を備え、前記照明カバーはアーチ状に形成され、このアーチ状照明カバーの前表面には該照明カバーの長手方向の全長に亘り延在するＶ状溝が照明カバーの長手方向と直角な方向に所望の間隔で複数形成され、さらに前記照明カバーのカラー用点光源と対向する背面には、前記点光源からの光を任意形状に輝光する光のパターンに変換して前記照明カバーの表面に表示するためのプリズム状の凸条が前記Ｖ状溝の長手方向と直行する方向に所望のピッチで平行に形成されていることを特徴とする。
【０００８】
また、本考案の照明装置は、前面が開口された遮光性のケース本体と、前記ケース本体の開口を閉塞するように設けられた光透過性の照明カバーと、前記ケース本体内に前記照明カバーに向け光が照射されるように配設された少なくとも１つのカラー用点光源と、前記カラー用点光源を指定の色に点灯制御する制御部と、前記制御部に接続され前記カラー用点光源を指定の色に点灯するための色設定信号を前記制御部に送出する色設定操作部と備え、前記照明カバーはアーチ状に形成され、このアーチ状照明カバーの前表面には該照明カバーの長手方向の全長に亘り延在するＶ状溝が照明カバーの長手方向と直角な方向に所望の間隔で複数形成され、さらに前記照明カバーのカラー用点光源と対向する背面には、前記カラー用点光源からの光を任意形状に輝光する光のパターンに変換して前記照明カバーの表面に表示するためのプリズム状の凸条が前記Ｖ状溝の長手方向と直行する方向に所望のピッチで平行に形成されていることを特徴とする。
【考案の効果】
【０００９】
本考案の照明装置においては、点光源から発する光が光パターン生成フィルムを後方から照射することにより、この照射光は光パターン生成フィルムを構成する基板層及びプリズム層の境界面で反射され、かつ基板層及びプリズム層を透過屈折しながら進行して照明カバー側へ出射される。これにより、例えば点光源からの円形状の光は糸巻の輪郭形状や小括弧形状のような形状に輝光する光のパターンに変換され、この光のパターンが照明カバーに対して裏面から投射されることにより照明カバーの表面に表示される。
よって、本考案によれば、照明カバーの表面に点光源を任意形状で輝光する光のパターンに変換して表示することができ、これに伴い、照明の演出効果が向上し、照明灯自体の意匠性及び審美性をより向上できるとともに、本考案の照明装置を装着した家具等の存在位置をより明確に表示できる。
【００１０】
また、本考案の照明装置においては、カラー用点光源から発する光が光パターン生成フィルムを後方から照射することにより、この照射光は光パターン生成フィルムを構成する基板層及びプリズム層の境界面で反射され、かつ基板層及びプリズム層を透過屈折しながら進行して照明カバー側へ出射される。これにより、例えばカラー用点光源からの円形状のカラー光は糸巻の輪郭形状や小括弧形状のような形状に輝光するカラー光のパターンに変換され、このカラー光のパターンが照明カバーに対して裏面から投射されることにより照明カバーの表面に表示される。そして、色設定操作部を操作して制御部に色設定信号を入力することによりカラー用点光源を指定の色に点灯できる。
よって、本考案によれば、照明カバーの表面にカラー用点光源を任意形状で輝光するカラー光のパターンに変換して表示することができ、これに伴い、照明の演出効果が更に向上し、照明装置自体の意匠性及び審美性をより向上できるとともに、本考案の照明装置を装着した家具等の存在位置をより明確に表示できる。
【００１１】
また、本考案の照明装置においては、点光源から発する光が照明カバーの背面に照射されると、この照射光は照明カバー背面のプリズム状凸条部分を透過屈折しながら照明カバー内を進行して照明カバーの前面Ｖ状溝側へ出射される。これにより、例えば点光源からの円形状の光はオーロラのような形状に輝光する光のパターンに変換され、この光のパターンが照明カバーの表面に表示される。
よって、本考案によれば、照明カバーの表面に点光源を任意形状で輝光する光のパターンに変換して表示することができ、これに伴い、照明の演出効果が向上し、照明灯自体の意匠性及び審美性をより向上できるとともに、本考案の照明装置を装着した家具等の存在位置をより明確に表示できる。
【００１２】
また、本考案の照明装置においては、カラー用点光源から発する光が照明カバーの背面に照射されると、この照射光は照明カバー背面のプリズム状凸条部分を透過屈折しながら照明カバー内を進行して照明カバーの前面側Ｖ状溝へ出射される。これにより、例えばカラー用点光源からの円形状の光はオーロラのような形状に輝光するカラー光のパターンに変換され、このカラー光のパターンが照明カバーの表面に表示される。そして、色設定操作部を操作して制御部に色設定信号を入力することによりカラー用点光源を指定の色に点灯できる。
よって、本考案によれば、照明カバーの表面にカラー用点光源を任意形状で輝光するカラー光のパターンに変換して表示することができ、これに伴い、照明の演出効果が更に向上し、照明装置自体の意匠性及び審美性をより向上できるとともに、本考案の照明装置を装着した家具等の存在位置をより明確に表示できる。
【考案を実施するための最良の形態】
【００１３】
本実施例における最良の形態では、点光源を任意形状の光のパターンに変換して表示するという目的を達成するために、ケース本体の開口を閉塞する光透過性照明カバーの内面に複数の光パターン生成フィルムを積層して配置し、点光源から発する光を光パターン生成フィルムを構成する基板層及びプリズム層の境界面で反射させるとともに基板層及びプリズム層を透過屈折しながら進行させて照明カバー側へ出射することにより、点光源からの光を任意形状に輝光する光のパターンに変換して照明カバーの表面に表示する。
【実施例１】
【００１４】
次に、本考案の実施例１について、図１〜図４を参照して説明する。
図１は本考案の実施例１における色設定操作部及び制御部を含む照明装置全体の構成を示す斜視図、図２は本実施例１における照明装置を分解して示す説明用斜視図、図３は図１のＡ−Ａ線に沿う拡大断面図、図４は本実施例１における照明装置の照明カバー表面に表示される光のパターン例を示す正面図、図５は本実施例１における照明装置に適用される光パターン生成フィルムの一部を拡大して示す説明図である。
【００１５】
図１において、照明装置１０は制御部１１および色設定操作部１２を含んで構成され、照明装置１０と制御部１１との間はケーブル１３により接続され、また、制御部１１と色設定操作部１２の間はケーブル１４により接続され、さらに、制御部１１にはＡＣ１００Ｖの電力を供給するための電源コード１５が接続されている。
上記制御部１１は、照明装置１０が内蔵するカラー用点光源１０１（図３参照）を指定の色に点灯制御するものであり、また、上記色設定操作部１２は制御部１１に対してカラー用点光源１０１を指定の色に点灯するための色設定信号を供給するものであり、この色設定操作部１２には、カラー用点光源１０１を指定の色に点灯するための複数の色設定用点灯釦、例えば赤色点灯釦１２１、黄色点灯釦１２２、緑色点灯釦１２３、水色点灯釦１２４、青色点灯釦１２５、紫色点灯釦１２６、白色点灯釦１２７及び消灯用釦１２８がそれぞれ設けられている。また、１３１〜１３７は上記赤色点灯釦１２１、黄色点灯釦１２２、緑色点灯釦１２３、水色点灯釦１２４、青色点灯釦１２５、紫色点灯釦１２６、白色点灯釦１２７のそれぞれに対応する上部個所に設けられた、点光源１０１の点灯色を表す赤色、黄色、緑色、水色、青色、紫色及び白色の点灯色表示マークである。
なお、上記各点灯色表示マーク１３１〜１３７を発光ダイオード等の表示ランプで構成してもよい。
【００１６】
前記照明装置１０は、図１〜図３に示すように、上下左右及び背面が閉塞され前面が開口された横方向に長尺の箱状を呈する遮光性の合成樹脂製からなるケース本体１０２と、このケース本体１０２の前面開口を閉塞するように設けられた横方向に長い光透過性の照明カバー１０３と、ケース本体１０２内に照明カバー１０３に向け光が照射されるようにケース本体１０２の長手方向に等間隔に配設された３個のカラー用点光源１０１と、照明カバー１０３の内面に該内面の全域を覆うように積層して設けられ、かつカラー用点光源１０１からの光を任意形状に輝光する光のパターンに変換して照明カバー１０３の表面に表示する２つの光パターン生成フィルム１０４，１０５とから構成されている。
なお、上記カラー用点光源１０１は、Ｒ，Ｇ，Ｂの各発光素子を組み合わせて構成されるもので、このＲ，Ｇ，Ｂ発光素子を制御部１１からの制御信号により点灯・消灯及び調光制御することで赤色、黄色、緑色、水色、青色、紫色及び白色の各色に点灯できるようになっている。
【００１７】
前記照明カバー１０３の外表面は、図１〜図３に示すように、前方へ突出するアーチ状に形成され、この照明カバー１０３のアーチ状の外表面には、照明カバー１０３の長手方向の全長に亘り延在して形成されたＶ状溝１０３Ａを有し、このＶ状溝１０３Ａは照明カバー１０３の長手方向と直角な方向に所望の間隔で複数形成されている。
また、ケース本体１０２の長手方向の両端には、照明装置１０をベッドのヘッドボードやその他の家具に取り付けるための取付部１６がそれぞれ設けられている。また、ケース本体１０２内のカラー用点光源１０１の背部には、カラー用点光源１０１からの光を光パターン生成フィルム１０４，１０５に向け反射するとともに光パターン生成フィルム１０４，１０５で反射されてくる光を再度光パターン生成フィルム１０４，１０５に向けて反射する放物線状に湾曲させた反射板１７が設けられている。
【００１８】
前記光パターン生成フィルム１０４，１０５は、図２及び図３に示すように、照明カバー１０３の内面の寸法に対応した長方形状を呈しており、このうち、光パターン生成フィルム１０４は、図５に示すように、ポリエステル等の透明性に優れた樹脂材からなる所望厚さ（例えば１２５μｍ）の基板層１０４Ａと、この基板層１０４Ａの表面に基板層１０４Ａの長手方向に延在する微細なプリズム状の凸条１０４Ｂ（高さが２５μｍ程度）を基板層１０４Ａの長手方向と直角な方向に所望のピッチ（例えば５０μｍ）で平行に形成してなるアクリル樹脂製のプリズム層１０４Ｃとから構成されている。
【００１９】
また、前記光パターン生成フィルム１０５は、その拡大図を示していないが、光パターン生成フィルム１０４と同様に基板層１０５Ａ及びプリズム層１０５Ｃ（図２参照）を有する構成になっており、この光パターン生成フィルム１０５が光パターン生成フィルム１０４と異なる点は、プリズム層１０５Ｃを構成するプリズム状の凸条１０５Ｂが基板層１０５Ａの長手方向と直角な方向に延在し、かつ基板層１０５Ａの長手方向に所望のピッチ（例えば５０μｍ）で平行に形成されているところにある。
このような光パターン生成フィルム１０４と１０５は、図２及び図３に示すように、それぞれのプリズム層１０４Ｃ及び１０５Ｃの凸条１０４Ｂと１０５Ｂが互いに直交するように、かつ光パターン生成フィルム１０４のプリズム層１０４Ｃと光パターン生成フィルム１０５の基板層１０５Ａとが互いに接するように重ね合わされた配置関係にしてある。
【００２０】
次に、上記のように構成された本実施例１に示す照明装置の動作について説明する。
照明装置１０は取付部１６をベッドのヘッドボードやその他の家具にネジ止めにより固定される。この場合、照明装置１０の家具等への固定は上記ネジ止めに限らず、ヘッドボードや家具などに予め係合部を設けておき、この係合部に上記取付部１６を係合する方式であってもよい。
【００２１】
かかる状態の照明装置１０を点灯して、ベッドのヘッドボードや家具の周辺を部分的に照明し、またはベッドや家具の存在位置を表示する場合は、まず、色設定操作部１２上の希望する色設定用点灯釦、例えば赤色点灯釦１２１をプッシュ操作して、その色設定信号を制御部１１に供給し、この制御部１１により各カラー用点光源１０１を指定された赤色に点灯する。これにより、各カラー用点光源１０１から発する赤色の光は光パターン生成フィルム１０４，１０５に後方から照射されると、この赤色照射光は光パターン生成フィルム１０４及び１０５を透過屈折して照明カバー１０３側へ出射される。すなわち、各カラー用点光源１０１からの赤色の光は光パターン生成フィルム１０４及び１０５の基板層及びプリズム層の境界面で反射されるとともに該基板層及びプリズム層を透過屈折しながら進行して照明カバー１０３の裏面に向け出射される。そして、この出射光が照明カバー１０３を透過すると、Ｖ状溝１０３Ａを有する照明カバー１０３の表面には、図４に示すように、照明カバー１０３の長手方向に一定の間隔で配列される縦縞形状に輝光する赤色の光のパターンが縦方向に３列に並んだオーロラ状のパターン２００が表示される。
【００２２】
このような本実施例１に示す照明装置によれば、照明カバー１０３の内側に、プリズム層を有する光パターン生成フィルム１０４，１０５を積層して配置する構成にしたので、照明カバー１０３の表面にカラー用点光源１０１を任意形状で輝光するカラー光のパターンに変換して表示することができ、これに伴い、照明の演出効果が向上され、照明装置自体の意匠性及び審美性をより向上できるとともに、本実施例の照明装置を装着した家具等の存在位置をより明確に表示できる。
【００２３】
また、本実施例１によれば、ケース本体１０２内のカラー用点光源１０１の背部には反射板１７が設けられているので、カラー用点光源１０１からの光を光パターン生成フィルム１０４，１０５に向け反射させることができるとともに、光パターン生成フィルム１０４，１０５の基板層及びプリズム層で反射されてくる光を再度光パターン生成フィルム１０４，１０５に向けて反射することができ、これにより、カラー用点光源１０１から発する光を無駄なく照明に利用できる。  
また、本実施例１によれば、照明カバー１０３の長手方向の両端に取付部１６がそれぞれ設けられているので、照明装置１０をベッドのヘッドボードやその他の家具に容易に取り付けることができる。
【実施例２】
【００２４】
次に、図６により本考案の実施例２について説明する。
図６は本実施例２における照明装置を分解して示す説明用斜視図である。
この図６において、照明装置１０は、上下左右及び背面が閉塞され前面が開口された横方向に長尺の箱状を呈する遮光性合成樹脂製からなるケース本体１０２と、このケース本体１０２の前面開口を閉塞するように設けられた横方向に長い平板状の光透過性の照明カバー１０６と、ケース本体１０２内に照明カバー１０６に向け光が照射されるようにケース本体１０２の長手方向に等間隔に配設された３個のカラー用点光源１０１と、照明カバー１０６の内面に該内面の全域を覆うように積層して設けられ、かつカラー用点光源１０１からの光を任意形状に輝光する光のパターンに変換して照明カバー１０６の表面に表示する２つの光パターン生成フィルム１０７，１０８とを備えている。
【００２５】
この実施例２において、上記実施例１と異なる点は、照明カバー１０６が平板状であること、光パターン生成フィルム１０７を構成するプリズム層１０７Ｃのプリズム状凸条１０７Ｂが光パターン生成フィルム１０７の長手方向と直角な方向に延在し、かつ光パターン生成フィルム１０７の長手方向に所望のピッチ（例えば５０μｍ）で平行に形成されていること、光パターン生成フィルム１０８を構成するプリズム層１０８Ｃのプリズム状凸条１０８Ｂが光パターン生成フィルム１０８の長手方向に延在し、かつ光パターン生成フィルム１０８の長手方向と直角な方向に所望のピッチ（例えば５０μｍ）で平行に形成されていること、上記構成の光パターン生成フィルム１０７と１０８を光の照射方向に図６に示しように配列するとともに、それぞれのプリズム層１０７Ｃ及び１０８Ｃの凸条１０７Ｂと１０８Ｂが互いに直交するように、かつ光パターン生成フィルム１０７及び１０８のプリズム層１０７Ｃ及び１０８Ｃが照明カバー１０６と相対向する配置関係にしたところにある。
【００２６】
このような構成の照明装置１０においては、各カラー用点光源１０１から発する光は光パターン生成フィルム１０７及び１０８を透過屈折しながら進行して照明カバー１０６の裏面に向け出射され、この出射光が照明カバー１０６を透過すると、照明カバー１０６の表面には、図６に示すように、破線で示すカラー用点光源１０１の陰影を中心にした糸巻の輪郭形状を呈する形状に輝光する光のパターン２０１がカラー用点光源１０１に数に対応して照明カバー１０６の長手方向に配列された状態に表示される。
このような実施例２に示す照明装置１０においても上記実施例１と同様な作用効果が得られる。
【実施例３】
【００２７】
次に、図７により本考案の実施例３について説明する。
図７は本実施例３における照明装置を分解して示す説明用斜視図である。
この図７において、照明装置１０は、上記図６に示す場合と同様に、上下左右及び背面が閉塞され前面が開口された横方向に長尺の箱状を呈する遮光性合成樹脂製からなるケース本体１０２と、このケース本体１０２の前面開口を閉塞するように設けられた横方向に長い平板状の光透過性の照明カバー１０６と、ケース本体１０２内に照明カバー１０６に向け光が照射されるようにケース本体１０２の長手方向に等間隔に配設された３個のカラー用点光源１０１と、照明カバー１０６の内面に該内面の全域を覆うように積層して設けられ、かつカラー用点光源１０１からの光を任意形状に輝光する光のパターンに変換して照明カバー１０６の表面に表示する２つの光パターン生成フィルム１０７，１０８とを備えている。
この実施例３において、上記実施例２と異なる点は、カラー用点光源１０１の光照射方向に対して後段に位置する光パターン生成フィルム１０８のプリズム層１０８Ｃのプリズム状凸条１０８Ｂを光照射方向の前段に位置する光パターン生成フィルム１０７のプリズム層１０７Ｃの凸条１０７Ｂと相対向するように配置したところにある。
【００２８】
このような構成の照明装置１０においては、各カラー用点光源１０１から発する光は光パターン生成フィルム１０７及び１０８を透過屈折しながら進行して照明カバー１０６の裏面に向け出射され、この出射光が照明カバー１０６を透過すると、照明カバー１０６の表面には、図７に示すように、破線で示すカラー用点光源１０１の陰影を中心にした小括弧形状を呈する形状に輝光する光のパターン２０２がカラー用点光源１０１に数に対応して照明カバー１０６の長手方向に配列された状態に表示される。
このような実施例３に示す照明装置１０においても上記実施例１と同様な作用効果が得られる。
【実施例４】
【００２９】
次に、図８により本考案の実施例４について説明する。
図８は本実施例４における照明装置を分解して示す説明用斜視図である。
この図８において、照明装置１０は、上記図６に示す場合と同様に、上下左右及び背面が閉塞され前面が開口された横方向に長尺の箱状を呈する遮光性合成樹脂製からなるケース本体１０２と、このケース本体１０２の前面開口を閉塞するように設けられた横方向に長い平板状の光透過性の照明カバー１０６と、ケース本体１０２内に照明カバー１０６に向け光が照射されるようにケース本体１０２の長手方向に等間隔に配設された３個のカラー用点光源１０１と、照明カバー１０６の内面に該内面の全域を覆うように積層して設けられ、かつカラー用点光源１０１からの光を任意形状に輝光する光のパターンに変換して照明カバー１０６の表面に表示する２つの光パターン生成フィルム１０７，１０８とを備えている。
【００３０】
この実施例４において、上記実施例２と異なる点は、カラー用点光源１０１の光照射方向に対して前段に位置する光パターン生成フィルム１０７のプリズム層１０７Ｃのプリズム状凸条１０７Ｂをカラー用点光源１０１に相対向させ、かつ、この光パターン生成フィルム１０７と光照射方向の後段に位置する光パターン生成フィルム１０８との平面部（プリズム層と反対の面）同士が相対向するように配置したところにある。
【００３１】
このような構成の照明装置１０においては、各カラー用点光源１０１から発する光は光パターン生成フィルム１０７及び１０８を透過屈折しながら進行して照明カバー１０３の裏面に向け出射され、この出射光が照明カバー１０６を透過すると、照明カバー１０３の表面には、図８に示すように、破線で示すカラー用点光源１０１の陰影を中心にして円弧を上下に配列した形状に輝光する光のパターン２０３がカラー用点光源１０１に数に対応して照明カバー１０６の長手方向に配列された状態に表示される。
このような実施例４に示す照明装置１０においても上記実施例１と同様な作用効果が得られる。
【実施例５】
【００３２】
次に、図９及び図１０により本考案の実施例５について説明する。
図９は本実施例５における照明装置を分解して示す説明用斜視図、図１０は本実施例５における照明装置の照明カバー表面に表示される光のパターン例を示す正面図である。
この図９において、照明装置１０は、上下左右及び背面が閉塞され前面が開口された横方向に長尺の箱状を呈する遮光性合成樹脂製からなるケース本体１０２と、このケース本体１０２の前面開口を閉塞するように固定され横方向に長いアーチ状に湾曲された光透過性の照明カバー１０９と、ケース本体１０２内に照明カバー１０６に向け光が照射されるようにケース本体１０２の長手方向に等間隔に配設された３個のカラー用点光源１０１と、照明カバー１０９の内面に該内面の全域を覆うように積層して設けられ、かつカラー用点光源１０１からの光を任意形状に輝光する光のパターンに変換して照明カバー１０９の表面に表示する２つの光パターン生成フィルム１１０，１１１とを備えている。また、１６は照明カバー１０３の長手方向の両端に設けた取付部である。
【００３３】
この実施例５において、上記実施例１と異なる点は、照明カバー１０６がアーチ状に形成されていること、光パターン生成フィルム１１０が照明カバー１０９の内面形状に合わせて形成されたアーチ部１１０Ａ及び該アーチ部１１０Ａの開口側を覆う平板部１０９Ｂを有するとともにアーチ部１１０Ａ及び平板部１１０Ｂの外表面に光照射方向と平行する方向のプリズムパターン１１０Ｃを有すること、光パターン生成フィルム１１１が照明カバー１０９の内面形状に合わせたアーチ状に形成され、かつアーチ状光パターン生成フィルム１１１の外表面に光照射方向に対して４５度傾斜するプリズムパターン１１１Ｃを形成したところにある。
【００３４】
このような構成の照明装置１０においては、各カラー用点光源１０１から発する光は光パターン生成フィルム１１０及び１１１を透過屈折しながら進行して照明カバー１０９の裏面に向け出射され、この出射光が照明カバー１０９を透過すると、照明カバー１０９の表面には、図１０に示すような形状に輝光する光のパターン２０４がカラー用点光源１０１に数に対応して照明カバー１０９の長手方向に配列された状態に表示される。
このような実施例５に示す照明装置１０においても上記実施例１と同様な作用効果が得られる。
【実施例６】
【００３５】
次に、図１１ないし図１４により本考案の実施例６について説明する。
図１１は本実施例６における色設定操作部及び制御部を含む照明装置全体の構成を示す斜視図、図１２は本実施例６における照明カバーの一部を切り欠いて示す平面図、図１３は図１２の矢印Ｘ方向から見た背面図、図１４は本実施例６における照明カバーの表面に表示される光のパターン例を示す正面図である。
図１１において、照明装置６０は図１に示す場合と同様に制御部１１および色設定操作部１２を含んで構成され、照明装置６０と制御部１１との間はケーブル１３により接続され、また、制御部１１と色設定操作部１２の間はケーブル１４により接続され、さらに、制御部１１にはＡＣ１００Ｖの電力を供給するための電源コード１５が接続されている。
【００３６】
上記制御部１１は、照明装置６０が内蔵するカラー用点光源６０１を指定の色に点灯制御するものであり、また、上記色設定操作部１２は制御部１１に対してカラー用点光源１０１を指定の色に点灯するための色設定信号を供給するものであり、この色設定操作部１２には、カラー用点光源１０１を指定の色に点灯するための複数の色設定用点灯釦、例えば赤色点灯釦１２１、黄色点灯釦１２２、緑色点灯釦１２３、水色点灯釦１２４、青色点灯釦１２５、紫色点灯釦１２６、白色点灯釦１２７及び消灯用釦１２８がそれぞれ設けられている。また、１３１〜１３７は上記赤色点灯釦１２１、黄色点灯釦１２２、緑色点灯釦１２３、水色点灯釦１２４、青色点灯釦１２５、紫色点灯釦１２６、白色点灯釦１２７のそれぞれに対応する上部個所に設けられた、点光源１０１の点灯色を表す赤色、黄色、緑色、水色、青色、紫色及び白色の点灯色表示マークである。
なお、上記各点灯色表示マーク１３１〜１３７を発光ダイオード等の表示ランプで構成してもよい。
【００３７】
上記照明装置６０は、図１１に示すように、上下左右及び背面が閉塞され前面が開口された横方向に長尺の箱状を呈する遮光性の合成樹脂製からなるケース本体６０２と、このケース本体６０２の前面開口を閉塞するように設けられた横方向に長い光透過性の照明カバー６０３と、ケース本体６０２内に照明カバー６０３に向け光が照射されるようにケース本体６０２の長手方向に等間隔に配設された３個のカラー用点光源６０１とから構成されている。また、ケース本体６０２の長手方向の両端には、照明装置６０をベッドのヘッドボードやその他の家具に取り付けるための取付部６６がそれぞれ設けられている。
【００３８】
なお、上記カラー用点光源６０１は、Ｒ，Ｇ，Ｂの各発光素子を組み合わせて構成されるもので、このＲ，Ｇ，Ｂ発光素子を制御部１１からの制御信号により点灯・消灯及び調光制御することで赤色、黄色、緑色、水色、青色、紫色及び白色の各色に点灯できるようになっている。また、上記各実施の形態に示す照明装置６０では、照明カバー内に３個のカラー用点光源６０１を配設した場合について説明したが、本発明はこれに限らず、1個または３個以上のカラー用点光源を配設するようにしてもよい。
【００３９】
上記照明カバー６０３は前方へ突出するアーチ状に形成され、このアーチ状照明カバー６０３の前表面には照明カバー６０３の長手方向の全長に亘り延在するＶ状溝６０３Ａが照明カバー６０３の長手方向と直角な方向に所望の間隔で複数形成され、さらに照明カバー６０３のカラー用点光源６０１と対向するアーチ状の背面には、カラー用点光源６０１からの光を任意形状に輝光する光のパターンに変換して照明カバー６０３の表面に表示するためのプリズム状の凸条６０３ＢがＶ状溝６０３Ａの長手方向と直行する方向に所望のピッチ（例えば２．５ｍｍ）で平行に形成されている。また、凸条６０３Ｂのプリズム角度は３５°程度である。
【００４０】
次に、上記のように構成された本実施例６に示す照明装置の動作について説明する。
照明装置６０は取付部６６をベッドのヘッドボードやその他の家具にネジ止めにより固定される。この場合、照明装置６０の家具等への固定は上記ネジ止めに限らず、ヘッドボードや家具などに予め係合部を設けておき、この係合部に上記取付部６６を係合する方式であってもよい。
【００４１】
かかる状態の照明装置６０を点灯して、ベッドのヘッドボードや家具の周辺を部分的に照明し、またはベッドや家具の存在位置を表示する場合は、まず、色設定操作部１２上の希望する色設定用点灯釦、例えば赤色点灯釦１２１をプッシュ操作して、その色設定信号を制御部１１に供給し、この制御部１１により各カラー用点光源６０１を指定された赤色に点灯する。これにより、各カラー用点光源６０１から発する赤色光によって照明カバー６０３の背面が照射されると、この赤色照射光は照明カバー背面のプリズム状凸条６０３Ｂ部分を透過屈折しながら照明カバー６０３内を進行して照明カバー６０３の前面側Ｖ状溝６０３Ａへ出射される。これにより、Ｖ状溝６０３Ａを有する照明カバー６０３の表面には、図１４に示すように、照明カバー６０３の長手方向に一定の間隔で配列される縦縞形状に輝光する光のパターンが縦方向に３列に並んだオーロラ状のパターン６００が表示される。
【００４２】
このような本実施例６によれば、アーチ状照明カバー６０３の前表面にＶ状溝６０３Ａを照明カバー６０３の長手方向と直角な方向に所望の間隔で複数形成するとともに、照明カバー６０３のカラー用点光源６０１と対向するアーチ状の背面には、カラー用点光源６０１からの光を任意形状に輝光する光のパターンに変換して照明カバー６０３の表面に表示するためのプリズム状の凸条６０３Ｂを形成する構成にしたので、照明カバー６０３の表面にカラー用点光源を任意形状で輝光するカラー光のパターンに変換して表示することができ、これに伴い、照明の演出効果が更に向上し、照明装置自体の意匠性及び審美性をより向上できるとともに、照明装置６０を装着した家具等の存在位置をより明確に表示できる。
【００４３】
なお、上記実施例６において、ケース本体６０２内のカラー用点光源６０１の背部に、カラー用点光源６０１からの光を照明カバー６０３に向け反射するとともに照明カバー６０３のプリズム状凸条６０３Ｂで反射されてくる光を照明カバー６０３に向けて再度反射する反射板を設けてもよい。
【００４４】
また、上記各実施の形態に示す照明装置では、照明カバー内に３個のカラー用点光源を配設した場合について説明したが、本発明はこれに限らず、任意の色に発光する1個の点光源を用いてもよいほか、３個以上のカラー用点光源を配設するようにしてもよい。
また、本発明における光パターン生成フィルムの積層枚数は実施例のように２枚に限らず、３枚ないしそれ以上積層される方式のものでもよい。
【図面の簡単な説明】
【００４５】
【図１】本考案の実施例１における色設定操作部及び制御部を含む照明装置全体の構成を示す斜視図である。
【図２】本実施例１における照明装置を分解して示す説明用斜視図である。
【図３】図１のＡ−Ａ線に沿う拡大断面図である。
【図４】本実施例１における照明装置の照明カバー表面に表示される光のパターン例を示す正面図である。
【図５】本実施例１における照明装置に適用される光パターン生成フィルムの一部を拡大して示す説明図である。
【図６】本考案の実施例２における照明装置を分解して示す説明用斜視図である。
【図７】本考案の実施例３における照明装置を分解して示す説明用斜視図である。
【図８】本考案の実施例４における照明装置を分解して示す説明用斜視図である。
【図９】本考案の実施例５における照明装置を分解して示す説明用斜視図である。
【図１０】本実施例５における照明装置の照明カバー表面に表示される光のパターン例を示す正面図である。
【図１１】本実施例６における色設定操作部及び制御部を含む照明装置全体の構成を示す斜視図である。
【図１２】本実施例６における照明カバーの一部を切り欠いて示す平面図である。
【図１３】図１２の矢印Ｘ方向から見た背面図である。
【図１４】本実施例６における照明カバーの表面に表示される光のパターン例を示す正面図である。
【符号の説明】
【００４６】
１０      照明装置
１１      制御部
１２      色設定操作部
１０１    点光源
１０２    ケース本体
１０３    照明カバー
１０３Ａ  Ｖ状溝
１０４，１０５        光パターン生成フィルム
１０４Ａ，１０５Ａ    基板層
１０４Ｂ，１０５Ｂ    プリズム状凸条
１０４Ｃ，１０５Ｃ    プリズム層
１６      取付部
１０６    照明カバー
１０７，１０８        光パターン生成フィルム
１０９    照明カバー
１１０，１１１        光パターン生成フィルム
６０      照明装置
６０１    点光源
６０２    ケース本体
６０３    照明カバー
６０３Ａ  Ｖ状溝
６０３Ｂ  プリズム状凸条
６６      取付部
【図１】
0003104919.tif 000003
【図２】
0003104919.tif 000004
【図３】
0003104919.tif 000005
【図４】
0003104919.tif 000006
【図５】
0003104919.tif 000007
【図６】
0003104919.tif 000008
【図７】
0003104919.tif 000009
【図８】
0003104919.tif 000010
【図９】
0003104919.tif 000011
【図１０】
0003104919.tif 000012
【図１１】
0003104919.tif 000013
【図１２】
0003104919.tif 000014
【図１３】
0003104919.tif 000015
【図１４】
0003104919.tif 000016